(57)【要約】【課題】傾きや位置のずれなしに各原稿の画像が整列された画像データを容易に得られるようにする。【解決手段】画像読取装置は、操作部、複数枚の原稿を読み取って読取画像データを生成する画像読取部、原稿に対応するカード画像を認識するカード画像認識部、カード画像の全体を含む円形領域を設定する円形領域設定部、円形領域の位置を示す位置情報を設定する位置情報設定部、予め定められた方向に対するカード画像のずれ角度を求めるずれ角度演算部、円形領域を回転させて傾きのずれを補正した補正画像データを取得する補正データ取得部、傾きのずれが補正されたカード画像を列状に配した整列画像データを生成する整列処理部を含む。【選択図】図４
2018196042.tif 000002
【特許請求の範囲】
【請求項１】
使用者の操作を受け付ける操作部と、
前記コンタクトガラスにセットされた複数枚の原稿を読み取って読取画像データを生成する画像読取部と、
前記読取画像データに含まれる画像であって、前記原稿に対応する画像であるカード画像を認識するカード画像認識部と、
前記カード画像ごとに、前記カード画像の全体を含む円形領域を設定する円形領域設定部と、
それぞれの前記円形領域の位置を示す位置情報を設定する位置情報設定部と、
前記カード画像ごとに、予め定められた方向に対する前記カード画像のずれ角度を求めるずれ角度演算部と、
前記位置情報と前記ずれ角度に基づき、前記円形領域を回転させて傾きのずれを補正した前記カード画像を含む補正画像データを取得する補正データ取得部と、
前記補正画像データに基づき、傾きのずれが補正された前記カード画像を列状に配した整列画像データを生成する整列処理部を含むことを特徴とする画像読取装置。
【請求項２】
組み合わせ設定部を含み、
前記画像読取部は、
前記コンタクトガラスにセットされた複数枚の前記原稿を読み取って第１読取画像データを生成し、
前記第１読取画像データの生成後、複数枚の前記原稿を読み取って第２読取画像データを生成し、
前記カード画像認識部は、
前記第１読取画像データに含まれる前記カード画像である第１カード画像を認識し、
前記第２読取画像データに含まれる前記カード画像である第２カード画像を認識し、
前記円形領域設定部は、
前記第１カード画像ごとに、前記円形領域として第１円形領域を設定し、
前記第２カード画像ごとに、前記円形領域として第２円形領域を設定し、
前記位置情報設定部は、
前記第１円形領域ごとに、前記位置情報として第１位置情報を設定し、
前記第２円形領域ごとに、前記位置情報として第２位置情報を設定し、
前記角度演算部は、
前記第１カード画像ごとに、前記ずれ角度として第１ずれ角度を求め、
前記第２カード画像ごとに、前記ずれ角度として第２ずれ角度を求め、
前記補正データ取得部は、
前記第１位置情報と前記第１ずれ角度に基づき前記第１円形領域を回転させて前記第１カード画像のずれを補正した第１補正画像データを取得し、
前記第２位置情報と前記第２ずれ角度に基づき前記第２円形領域を回転させて前記第２カード画像のずれを補正した第２補正画像データを取得し、
前記組み合わせ設定部は、前記第１円形領域と前記第２円形領域の位置的な重なりに基づき、１つの前記第１カード画像に対し何れか１つの前記第２カード画像を組み合わせ、
前記整列処理部は、組み合わせた前記第１カード画像と前記第２カード画像が隣りあうように、傾きのずれが補正された前記カード画像を配した前記整列画像データを生成することを特徴とする請求項１に記載の画像読取装置。
【請求項３】
確認画面を表示する表示部を含み、
前記表示部は、組み合わされた前記第１カード画像と前記第２カード画像を前記確認画面内に表示することを特徴とすることを特徴とする請求項２に記載の画像読取装置。
【請求項４】
前記組み合わせ設定部は、
重なりあう前記第１円形領域と前記第２円形領域の前記第１カード画像と前記第２カード画像を組み合わせ、
前記第１円形領域と前記第２円形領域が重なっている面積を前記第１円形領域の全面積で除して得られる比率が予め定められた基準比率以下であるとき、
前記表示部は前記第１カード画像と前記第２カード画像の何れか一方、又は、両方を予め定められた注意色を用いて表示することを特徴とする請求項３に記載の画像読取装置。
【請求項５】
前記操作部が前記第１カード画像と組み合わせる前記第２カード画像を変更する変更操作を受け付けたとき、
前記組み合わせ設定部は、前記変更操作がなされた前記第１カード画像と組み合わせる前記第２カード画像を変更することを特徴とする請求項２乃至４の何れか１項に記載の画像読取装置。
【請求項６】
前記操作部がカードを再現するためのカード再現操作を受け付けたとき、
前記整列処理部は、
組み合わせた前記第１カード画像と前記第２カード画像が隣りあうように前記カード画像を配した前記整列画像データを生成せず、
表面用整列画像データと裏面用整列画像データを生成し、
前記表面用整列画像データに前記第１カード画像を配し、
前記裏面用整列画像データに前記第２カード画像を配し、
前記表面用整列画像データと前記裏面用整列画像データを用いて用紙の両面を印刷したとき、前記第１カード画像の印刷位置と同じ位置に前記第１カード画像と組み合わされた前記第２カード画像が印刷されるように前記第１カード画像と前記第２カード画像を配することを特徴とする請求項２乃至５の何れか１項に記載の画像読取装置。
【請求項７】
前記操作部は前記整列画像データでの前記カード画像の並べ方の設定を受け付け、
前記整列処理部は、設定された並べ方で、傾きのずれが補正された前記カード画像を整列した前記整列画像データを生成することを特徴とする請求項１乃至６の何れか１項に記載の画像読取装置。
【請求項８】
前記整列処理部は、低濃度の前記カード画像の有無を判定し、低濃度と判定した前記カード画像を前記整列画像データのうち、予め定められた特定領域内に配することを特徴とする請求項１乃至７の何れか１項に記載の画像読取装置。
【請求項９】
前記整列処理部は、前記カード画像間に境界線を付した前記整列画像データを生成することを特徴とする請求項１乃至８の何れか１項に記載の画像読取装置。
【請求項１０】
請求項１乃至９の何れか１項に記載の画像読取装置と、
前記画像読取装置と通信する画像処理装置を含み、
前記画像読取装置は、前記読取画像データ、それぞれの前記円形領域の前記位置情報、前記円形領域ごとの前記ずれ角度を前記画像処理装置に送信し、
前記画像処理装置は、前記位置情報と前記ずれ角度に基づき、前記円形領域を回転させてずれを補正して前記補正画像データを生成し、前記補正画像データを前記補正データ取得部に送信することを特徴とする画像読取システム。
【発明の詳細な説明】
【技術分野】
【０００１】
本発明は、原稿を読みとって画像データを生成する画像読取装置、画像読取システムに関する。
【背景技術】
【０００２】
画像読取装置は、セットされた原稿を読み取って画像データを生成する。そして、原稿に関する検知を行う画像読取装置がある。検知結果に基づき、読み取り範囲の設定や読み取りで得られた画像データの調整（加工）が行われる。特許文献１には、原稿のサイズ、位置、傾きを検知する原稿読み取り装置が記載されている。
【０００３】
具体的に、特許文献１には、原稿台上の原稿を押さえる面側に模様が記された原稿押さえ板を備え、原稿台上の画像を読み取り、原稿読み取り時に読み取られた原稿台上の原稿および原稿押さえ板の模様を一括してデータとして処理し、処理されたデータに基づいて原稿押さえ板の模様のうち原稿によって隠された部分を認識し、原稿のサイズ、位置、および傾きを検出し、検出された原稿のサイズ、位置、および傾きを利用し、読み取られた原稿のクリッピングおよび傾き補正を行う原稿読み取り装置が記載されている（特許文献１：請求項１、請求項９、段落［００１０］参照）。
【先行技術文献】
【特許文献】
【０００４】
【特許文献１】特開２００５−２１７５０９号公報
【発明の概要】
【発明が解決しようとする課題】
【０００５】
画像読取装置には、コンタクトガラスを備えるものがある。コンタクトガラスに原稿が載置（セット）される。画像読取装置は、セットされた原稿を読み取る（走査する）。画像読取装置は読み取った原稿の画像データを生成する。
【０００６】
コンタクトガラスに複数枚の原稿がセットされることがある。例えば、名刺のような小さい原稿（小型原稿）を複数枚セットすることがある。使用者は、重ならないように小型原稿をコンタクトガラスにセットする。読み取りの結果、複数枚の小型原稿の画像を含む１枚の画像データが得られる。
【０００７】
セットされた小型原稿の位置に基づき、画像データ内の小型原稿の画像の位置が決まる。また、セットされた小型原稿の角度に基づき、画像データ内の小型原稿の画像の傾きが決まる。各小型原稿の画像がきれいに配列された画像データを得たい場合がある。また、小型原稿のそれぞれの画像の角度が一致する画像データを得たい場合もある。
【０００８】
これらの場合、使用者は、位置、角度を精密にあわせつつ、複数の小型原稿をコンタクトガラスにセットしなくてはならない。例えば、使用者は、全ての小型原稿の角度が一致するように小型原稿をセットしなくてはならない。使用者は、慎重にコンタクトガラスに小型原稿をセットしなくてはならない。しかし、コンタクトガラスの表面は平滑である。セットされた小型原稿は動きやすい。例えば、息がかかっただけで小型原稿が回る場合もある。非常に手間がかかる。従って、各小型原稿の画像の角度が一致し、かつ、各小型原稿の画像がきれいに配列された画像データを容易に得られないという問題がある。
【０００９】
特許文献１には、複数枚の原稿の画像を含む画像データにおいて、個々の原稿部分のサイズ、位置、傾きを検出する点が記載されている（特許文献１：［００７８］）。しかし、特許文献１記載の技術では各原稿の画像の位置はコンタクトガラスでのセット位置に依存する。簡易、自動的に、各原稿の画像が整列された画像データを得ることはできない。
【００１０】
本発明は上記従来技術の問題点に鑑み、位置、角度があうように複数枚の原稿をセットしなくても、傾きや位置のずれなしに各原稿の画像が整列された画像データを容易に得られるようにする。
【課題を解決するための手段】
【００１１】
上記目的を達成するため、請求項１に係る画像読取装置は、操作部、画像読取部、カード画像認識部、円形領域設定部、位置情報設定部、ずれ角度演算部、補正データ取得部、整列処理部を含む。前記操作部は使用者の操作を受け付ける。前記画像読取部は、前記コンタクトガラスにセットされた複数枚の原稿を読み取って読取画像データを生成する。前記カード画像認識部は、前記読取画像データに含まれる画像であって、前記原稿に対応する画像であるカード画像を認識する。前記円形領域設定部は、前記カード画像ごとに、前記カード画像の全体を含む円形領域を設定する。前記位置情報設定部は、それぞれの前記円形領域の位置を示す位置情報を設定する。前記ずれ角度演算部は、前記カード画像ごとに、予め定められた方向に対する前記カード画像のずれ角度を求める。前記補正データ取得部は、前記位置情報と前記ずれ角度に基づき、前記円形領域を回転させて傾きのずれを補正した前記カード画像を含む補正画像データを取得する。前記整列処理部は、前記補正画像データに基づき、傾きのずれが補正された前記カード画像を列状に配した整列画像データを生成する。
【発明の効果】
【００１２】
本発明によれば、各原稿の画像の傾きのずれがなく、各原稿の画像が整列された画像データを容易に得ることができる。使用者は、位置、角度があうように慎重に複数枚の原稿をセットしなくてもよい。使い勝手のよい画像読取装置を提供することができる。
【図面の簡単な説明】
【００１３】
【図１】実施形態に係る画像読取システムの一例を示す図である。
【図２】実施形態に係る画像読取部の一例を示す図である。
【図３】実施形態に係る画像読取部の一例を示す図である。
【図４】実施形態に係るカード原稿片面読取モードでの処理の流れの一例を示すフローチャートである。
【図５】実施形態に係るカード状の原稿のセット状態の一例を示す図である。
【図６】実施形態に係る読取画像データの一例を示す図である。
【図７】実施形態に係る円形領域の設定とずれ角度の一例を示す図である。
【図８】実施形態に係る確認画面の一例を示す図である。
【図９】実施形態に係る配列設定画面の一例を示す図である。
【図１０】実施形態に係る整列画像データの一例を示す図である。
【図１１】実施形態に係る整列画像データの一例を示す図である。
【図１２】実施形態に係るカード原稿両面読取モードでの処理の流れの一例を示すフローチャートである。
【図１３】実施形態に係るカード原稿両面読取モードでの処理の流れの一例を示すフローチャートである。
【図１４】実施形態に係る各カード画像の組み合わせ手法の一例を示す図である。
【図１５】実施形態に係る確認画面の一例を示す図である。
【図１６】実施形態に係る配列設定画面の一例を示す図である。
【図１７】実施形態に係る整列画像データの一例を示す図である。
【図１８】実施形態に係る整列画像データの一例を示す図である。
【図１９】実施形態に係る整列画像データの一例を示す図である。
【発明を実施するための形態】
【００１４】
以下、図１〜図１９を用い、実施形態に係る画像読取システム１００、画像読取装置を説明する。画像読取装置として複合機２００を例に挙げて説明する。本実施形態の説明に記載されている構成、配置等の各要素は発明の範囲を限定せず単なる説明例にすぎない。
【００１５】
複合機では、カード状の原稿を原稿台（コンタクトガラス４１）に複数枚セットし、読み取ることができる。カード状の原稿は小型の原稿である。カード状の原稿は、出力可能な最小サイズの画像データよりも小さい原稿である。例えば、カード状の原稿は、名刺である。カード状の原稿は、名刺に限られない。カード状の原稿は、免許証、証明書、パスポートのような公的に発行されたものでもよい。また、カード状の原稿は、公的に発行されたものに限られない。カード状の原稿は、メンバーズカードのようなカードでもよい。カード状の原稿は、コンタクトガラス４１に複数枚セットできるものであればよい。
【００１６】
（画像読取システム１００と複合機２００）
図１を用いて、実施形態に係る画像読取システム１００を説明する。図１は、実施形態に係る画像読取システム１００の一例を示す図である。
【００１７】
図１に示すように、画像読取システム１００は、複合機２００と画像処理装置３００を含む。画像処理装置３００は、画像データの回転処理を行えるコンピューターである。画像処理装置３００は、画像データの回転処理を行うためのハードウェアとソフトウェアを含む。画像処理装置３００は、例えば、ＰＣである。
【００１８】
図１に示すように、複合機２００は、制御部１、記憶部２、印刷部３、画像読取部４、操作パネル５、通信部６（補正データ取得部に相当）を含む。
【００１９】
制御部１は、複合機２００の全体制御を司る。制御部１は、ＣＰＵ１１と画像処理部７を含む。記憶部２は、ＲＯＭ、フラッシュＲＯＭ、ストレージ（ＨＤＤ）のような不揮発性の記憶装置を含む。記憶部２はＲＡＭのような揮発性の記憶装置を含む。制御部１は、記憶部２に記憶されたプログラムやデータを利用して各部を制御する。制御部１は、コピーや送信のようなジョブでのスキャンを制御する。また、制御部１は、印刷、送信、画像データの記憶を制御する。画像処理部７は、画像データに画像処理を行う。
【００２０】
印刷部３は、給紙部３ａ、用紙搬送部３ｂ、画像形成部３ｃ、定着部３ｄ、両面搬送部３ｅを含む。印刷ジョブのとき、制御部１は用紙を給紙部３ａに供給させる。制御部１は用紙を用紙搬送部３ｂに搬送させる。用紙搬送部３ｂは印刷済み用紙を機外に排出する。制御部１は画像データに基づくトナー像を画像形成部３ｃに形成させる。制御部１は搬送用紙へのトナー像の転写を画像形成部３ｃに行わせる。制御部１は転写されたトナー像の用紙への定着を定着部３ｄに行わせる。制御部１は印刷部３の動作を制御する。
【００２１】
両面搬送部３ｅは、両面印刷時に用いられる。両面印刷時、制御部１は、両面搬送部３ｅに片面印刷済用紙を搬送させる。両面搬送部３ｅは、複数の搬送ローラー対、各搬送ローラー対を回転させるモーターを含む。両面搬送部３ｅは、定着部３ｄを通過した片面印刷済の用紙の表と裏を反転させる。反転のため、両面搬送部３ｅは用紙をスイッチバックする。そして、両面搬送部３ｅは、表と裏が反転された用紙を画像形成部３ｃの上流側に向けて搬送する。制御部１は、片面印刷済の用紙の未印刷面への印刷を画像形成部３ｃに行わせる。制御部１は２回目のトナー像の定着を定着部３ｄに行わせる。制御部１は、両面印刷された用紙の排出を用紙搬送部３ｂに行わせる。
【００２２】
操作パネル５は、表示パネル５１（表示部に相当）、タッチパネル５２（操作部に相当）、ハードキー５３（操作部に相当）を含む。制御部１は、設定用画面や操作用画像を表示パネル５１に表示させる。例えば、操作用画像は、ボタン、キー、タブである。タッチパネル５２の出力に基づき、制御部１は、表示された操作用画像のうち、操作されたものを認識する。ハードキー５３は、スタートキーやテンキーを含む。タッチパネル５２、ハードキー５３は使用者の設定操作（ジョブに関する操作）を受け付ける。制御部１は操作パネル５と通信する。制御部１は設定内容を認識する。
【００２３】
通信部６は、画像処理装置３００と通信可能に接続される。通信部６と画像処理装置３００は、ネットワークを介して通信する。画像処理装置３００の詳細は後述する。
【００２４】
（画像読取部４）
次に、図２、３を用いて、実施形態に係る画像読取部４を説明する。図２、図３は、実施形態に係る画像読取部４の一例を示す図である。
【００２５】
画像読取部４の上面右側に、コンタクトガラス４１が配される。コンタクトガラス４１には、原稿がセットされる。画像読取部４は、コンタクトガラス４１にセットされた原稿に光を照射する。画像処理部７は原稿の下側の面を読み取って読取画像データＤ１を生成する（テーブル読み取り）。記憶部２は読取画像データＤ１を記憶する。例えば、記憶部２のストレージに読取画像データＤ１が記憶される。
【００２６】
図２に示すように、原稿押さえ部４２が画像読取部４の上方に設けられる。原稿押さえ部４２を開閉できるように、画像読取部４の上面かつ複合機２００の奥側に回動軸（ヒンジ、不図示）が設けられる。原稿押さえ部４２のうち、複合機２００の手前側が自由端となる。複合機２００の手前側を上下に振るように、原稿押さえ部４２を開閉することができる。原稿押さえ部４２の下面には、原稿押さえ板４３が取り付けられる。例えば、原稿押さえ板４３は白色の板である。原稿押さえ部４２を閉じたとき、原稿押さえ板４３はコンタクトガラス４１を上から覆う。原稿押さえ板４３は、コンタクトガラス４１にセットされた原稿を上から押さえる。
【００２７】
図３に示すように、画像読取部４は、読取制御部４０を含む。読取制御部４０は画像読取部４の動作を制御する基板である。読取制御部４０は、ＣＰＵ、メモリー、その他の回路を含む。読取制御部４０は制御部１からの指示、信号を受け、原稿の読み取りを行う。
【００２８】
図２に示すように、画像読取部４は、読取ユニット４４、ワイヤー４５、巻取ドラム４６を含む。読取ユニット４４は、ＣＩＳ方式のスキャンユニットである。ワイヤー４５は読取ユニット４４と巻取ドラム４６に接続される。巻取ドラム４６は、正逆回転する巻取モーター４７（図３参照）により回転する。読み取りのとき、読取制御部４０は、巻取ドラム４６を回転させる。これにより、読取ユニット４４は水平方向（副走査方向、図２の左右方向）に移動する。
【００２９】
図３に示すように、読取ユニット４４はランプ４４ａとイメージセンサー４４ｂを含む。ランプ４４ａは原稿に光を照射する。イメージセンサー４４ｂは主走査方向に並べられた複数の受光素子（画素）を含む。各受光素子は反射光量に応じたアナログ電気信号を出力する。画像読取部４は画像データ生成部４８を含む。画像データ生成部４８は、Ａ／Ｄ変換部４８ａ、補正部４８ｂ、画像メモリー４８ｃを含む。Ａ／Ｄ変換部４８ａは、イメージセンサー４４ｂの各受光素子のアナログ信号を補正する。また、Ａ／Ｄ変換部４８ａは、補正後の各受光素子のアナログ信号をディジタル値に変換する（例えば、８ビットや１０ビット）。これにより、読取画像データＤ１が生成される。補正部４８ｂは、読取画像データＤ１を補正する。補正部４８ｂは読み取りに起因する画像の濃度の歪みを補正する画像処理を行う。例えば、補正部４８ｂはシェーディング補正を行う。画像データ生成部４８が生成した各ラインの画像データは、画像メモリー４８ｃに蓄積される。このように、画像読取部４は、原稿読み取りに基づく読取画像データＤ１を生成する。画像メモリー４８ｃに蓄積された画像データ（読取画像データＤ１）は、記憶部２に送信される。
【００３０】
（読取モード）
次に、図３を用いて、実施形態に係る複合機２００が備える原稿の読取モードの一例を説明する。
【００３１】
画像読取部４は、コンタクトガラス４１にセットされた原稿を読み取る。画像読取部４は、読取画像データＤ１を生成する。複合機２００では、読取画像データＤ１に基づく印刷を行うことができる（コピージョブ）。また、複合機２００では、読取画像データＤ１を送信することもできる（スキャン送信ジョブ）。また、複合機２００では、読取画像データＤ１を不揮発的に記憶部２に記憶させることもできる（スキャン保存ジョブ）。読取画像データＤ１の出力態様としては、印刷、送信、保存がある。印刷、送信、保存のうち何れを行うか（どのジョブを行うか）は、操作パネル５で設定することができる。
【００３２】
そして、複合機２００は、原稿読取のモードとして、通常モード、カード原稿片面読取モード、カード原稿両面読取モードを備える。タッチパネル５２は、モードを選択する操作を受け付ける。タッチパネル５２の出力に基づき、制御部１は、選択されたモードを認識する。制御部１は、選択されたモードに応じた処理を行う。
【００３３】
カード原稿片面読取モードとカード原稿両面読取モードは、カード状の原稿を読み取るためのモードである。カード原稿片面読取モードは、カード状の原稿の片面のみを読み取るモードである。カード原稿両面読取モードは、カード状の原稿の両面を読み取るモードである。カード原稿片面読取モードとカード原稿両面読取モードのとき、画像処理部７は、カード状の原稿用の画像処理を行う。そして、画像処理部７は、カード画像８を列状に配した整列画像データＤ２を生成する。
【００３４】
カード状の原稿用の各読取モードに関する画像処理を行う部分として、複合機２００は、カード画像認識部７１、円形領域設定部７２、位置情報設定部７３、ずれ角度演算部７４、組み合わせ設定部７５、整列処理部７６を含む（図３参照）。画像処理部７（制御部１）は、カード画像認識部７１、円形領域設定部７２、位置情報設定部７３、ずれ角度演算部７４、整列処理部７６を含む。カード画像認識部７１、円形領域設定部７２、位置情報設定部７３、ずれ角度演算部７４、整列処理部７６は、回路（ハードウェア）として設けられてもよい。画像処理部７の処理回路及び画像処理プログラムにより、カード画像認識部７１、円形領域設定部７２、位置情報設定部７３、ずれ角度演算部７４、整列処理部７６は、ソフトウェア的に実現されてもよい。
【００３５】
通常モードは、原稿を１枚ずつ読み取るモードである。原稿がある程度大きい場合、コンタクトガラス４１には原稿が１ページずつセットされる。通常モードでは、画像読取部４はセットされた１枚の原稿を１ページずつ読み取る。例えば、制御部１は、セットされたＡ４サイズの原稿を１ページずつ画像読取部４に読み取らせる。通常モードでは、画像処理部７は、カード状の原稿用の画像処理を行わない。
【００３６】
（カード原稿片面読取モード）
次に、図３〜図１１を用いて、実施形態に係るカード原稿片面読取モードの一例を説明する。図４は、実施形態に係るカード原稿片面読取モードでの処理の流れの一例を示すフローチャートである。図５は、実施形態に係るカード状の原稿のセット状態の一例を示す図である。図６は、実施形態に係る読取画像データＤ１の一例を示す図である。図７は、実施形態に係る円形領域９の設定とずれ角度の一例を示す図である。図８は、実施形態に係る確認画面Ｓ１の一例を示す図である。図９は、実施形態に係る配列設定画面Ｓ２の一例を示す図である。図１０、図１１は、実施形態に係るカード原稿片面読取モードでの整列画像データＤ２の一例を示す図である。
【００３７】
図４のスタートは、カード原稿片面読取モードが選択された時点である。まず、使用者により、コンタクトガラス４１に複数枚のカード状の原稿がセットされる（ステップ♯１１）。例えば、使用者は名刺をセットする。使用者は、カード状の原稿のうち、読み取りたい面を下側にする。セット完了後、使用者は原稿押さえ部４２を下げる。
【００３８】
図５は、コンタクトガラス４１を上から見た図の一例である。図５では、コンタクトガラス４１とカード状の原稿以外の図示を省略している。図５は、複数枚のカード状の原稿をコンタクトガラス４１にセットした状態を示す。図５では、矩形をカード状の原稿として図示している（計８枚）。１枚の画像データ内に複数枚のカード状の原稿の情報を含めることができる。なお、図５に示すように、各カード状の原稿を規則正しく並べる必要はない。また、図５に示すように、各カード状の原稿の角度をあわせる必要もない。
【００３９】
次に、制御部１は、画像読取部４に複数枚のカード状の原稿を読み取らせる（ステップ♯１２）。カード原稿片面読取モードのとき、制御部１は、読み取り可能な最大範囲で画像読取部４に読み取りを行わせてもよい。画像読取部４は、読取画像データＤ１を生成する（ステップ♯１３）。図６は、図５のように複数の原稿をセットした後の読み取りで得られた読取画像データＤ１の一例を示す。図６は、複数の矩形のカード画像８を含む読取画像データＤ１の一例を示す。
【００４０】
カード画像認識部７１（画像処理部７）は、読取画像データＤ１に含まれるカード画像８を認識する（ステップ♯１４）。カード画像８はカード状の原稿に対応する画像である。カード画像８は、円形領域９（詳細は後述）のうち、カード状の原稿に対応する部分である。カード状の原稿が名刺のとき、カード画像８は、名刺部分の画像である。
【００４１】
原稿には厚みがある。カード状の原稿の縁部分では、ランプ４４ａからの光が乱反射する。読取画像データＤ１において、カード状の原稿の縁部分に対応する画素は暗い画素となる。カード画像認識部７１は、高濃度画素（予め定められた基準値よりも濃い画素）で囲まれた領域をカード画像８と認識してもよい。また、通常、名刺は矩形である。そこで、カード画像認識部７１は、読取画像データＤ１中の高濃度画素の直線を認識する。カード画像認識部７１は、４本の直線で構成される枠と、枠内の領域をカード画像８と認識してもよい。
【００４２】
続いて、円形領域設定部７２（画像処理部７）は、カード画像８ごとに、カード画像８の全体を含む円形領域９を設定する（ステップ♯１５）。図６では、読取画像データＤ１で設定される円形領域９の一例を破線で図示している。図７を用いて、円形領域９の設定の一例を説明する。名刺のようなカード状の原稿では、カード画像８は矩形（長方形）となる。図７では、矩形の対角線の交点（矩形の中心）と矩形の隅を繋ぐ線をａ１、ａ２、ａ３、ａ４で図示している。矩形の性質として、ａ１、ａ２、ａ３、ａ４は全て等しい。矩形の対角線の交点を中心とし、矩形の対角線を直径とする円は、矩形を全て含む。
【００４３】
そこで、円形領域設定部７２は、カード画像８の中心を定める。そして、円形領域設定部７２は、カード画像８の中心と円形領域９の中心を一致させる。円形領域設定部７２は、カード画像８の対角を結ぶ直線を直径とする円を円形領域９と設定する。これにより、カード画像８を含み、かつ、最小となる円を円形領域９として設定することができる。なお、他の手法により円形領域９を設定してもよい。
【００４４】
次に、位置情報設定部７３（画像処理部７）は、それぞれの円形領域９の位置情報を設定する（ステップ♯１６）。位置情報は、読取画像データＤ１内の円形領域９の位置（範囲）を示す。位置情報は、円形領域９に含まれる画素の座標を示す情報ともいえる。
【００４５】
更に、ずれ角度演算部７４（画像処理部７）は、円形領域９ごとに（カード画像８ごとに）、ずれ角度を求める（ステップ♯１７）。ずれ角度は、予め定められた方向に対する円形領域９内のカード画像８の傾きを示す。予め定められた方向は、副走査方向又は主走査方向である。言い換えると、予め定められた方向は、読取画像データＤ１の横方向又は縦方向である。
【００４６】
図７を用いて、ずれ角度の算出の一例を説明する。図７では、予め定められた方向を副走査方向（読取画像データＤ１の横方向）とする例を説明する。また、図７では、副走査方向の直線を破線で示している。カード画像８の右上隅に重なるように、副走査方向の直線を図示している。
【００４７】
ずれ角度演算部７４は、予め定められた方向の直線と、円形領域９に含まれるカード画像８の長辺（長手方向の直線）がなす角度をずれ角度として求める。例えば、反時計方向に傾いている（右肩上がりで傾いている）場合を正、時計方向に傾いている（右肩下がりで傾いている）場合を負とする。この場合、ずれ角度演算部７４は、図７では、ずれ角度を＋αとして求める。
【００４８】
制御部１は、画像処理装置３００に向けて、読取画像データＤ１、円形領域９ごとの位置情報とずれ角度を通信部６に送信させる（ステップ♯１８）。複合機２００の画像処理部７では、画像データを回転できる角度に制限がある。
【００４９】
画像処理部７は、画像データを回転させることができる。しかし、回転可能な角度が限られる。ジョブの実行に必要な角度でのみ、画像データを回転させることができる。例えば、２ｉｎ１のような集約印刷のとき、９０度の回転が必要な場合がある。また、両面印刷のとき、１８０度の回転が必要な場合がある。そのため、画像処理部７は、例えば、画像データを９０度、１８０度で回転させることができる。しかし、数度、十数度、数十度のように、画像処理部７は、ずれ角度に応じて、どの角度でも画像データを回転させる機能（ハードウェアとソフトウェア）を有していない。
【００５０】
そこで、画像読取システム１００では、各円形領域９の回転処理を画像処理装置３００に行わせる。画像処理装置３００は、複合機２００と通信を行うためのデータ通信部３０１を含む（図３参照）。また、画像処理装置３００は、回転処理を行う画像処理回路３０２を含む（図３参照）。画像処理回路３０２は、画像処理部７よりも画像データを回転できる角度の制限が少ない。例えば、画像処理回路３０２は１度刻み、あるいは、０．１度刻みで、画像データを回転できる。
【００５１】
画像処理装置３００は、位置情報とずれ角度に基づき、補正画像データを生成する（ステップ♯１９）。受信した位置情報に基づき、画像処理装置３００は、受信した読取画像データＤ１内の各円形領域９を認識する。受信した各円形領域９のずれ角度に基づき、画像処理装置３００は、円形領域９を回転させる。画像処理装置３００は、ずれ角度がゼロになるように、各円形領域９を回転させる。例えば、画像処理装置３００は、カード画像８の長辺と副走査方向がなす角度が０度となるように、時計方向又は反時計方向に各円形領域９を回転させる。これにより、各カード画像８の角度のずれが補正された補正画像データが得られる。
【００５２】
画像処理装置３００は、通信部６に向けて補正画像データを送信する。複合機２００の通信部６は、補正画像データを受信する（ステップ♯１１０）。通信部６は、補正画像データを取得する。カード画像認識部７１（画像処理部７）は、補正画像データに含まれるカード画像８を認識する（ステップ♯１１１）。それぞれの円形領域９の位置は変わらない。そこで、カード画像認識部７１（画像処理部７）は、位置情報に基づき、それぞれの円形領域９内を認識する。そして、カード画像認識部７１は、認識した円形領域９内のカード画像８を認識する。傾き（ずれ角度）が補正されている。そのため、カード画像認識部７１は、円形領域９内の副走査方向の高濃度画素の２本の直線と、主走査方向の高濃度画素の２本の直線と、これらの直線に囲まれた領域を傾きのずれが補正されたカード画像８と認識する。
【００５３】
そして、制御部１は、確認画面Ｓ１を表示パネル５１に表示させる(ステップ♯１１２)。図８は、カード原稿片面読取モードでの確認画面Ｓ１の一例を示す。確認画面Ｓ１内には、カード画像表示領域Ｆ０が設けられる。制御部１は、補正画像データに含まれ、かつ、傾きのずれが補正されたカード画像８のうち、１枚をカード画像表示領域Ｆ０内に表示させる。カード画像表示領域Ｆ０の画素数がカード画像８の画素数よりも少ないとき、画像処理部７は、カード画像８の縮小画像を生成する。この場合、制御部１は、縮小画像に基づき、カード画像８を表示させる。
【００５４】
カード画像認識部７１（画像処理部７）は、補正画像データ内の各カード画像８の順番を設定する。例えば、カード画像認識部７１は、補正画像データにおいて、上側のカード画像８から順に番号を付す。最初に確認画面Ｓ１を表示するとき、制御部１は、１番のカード画像８を表示パネル５１に表示させる。
【００５５】
また、制御部１は、次ボタンＢ１を確認画面Ｓ１内に表示させる。次ボタンＢ１が操作されたとき、制御部１は、次の順番のカード画像８を表示パネル５１に表示させる。使用者は、最後の順番まで、１つずつ傾きのずれが補正されたカード画像８を確認する。
【００５６】
また、制御部１は、反転ボタンＢ２を確認画面Ｓ１内に表示させる。反転ボタンＢ２は、カード画像表示領域Ｆ０内に表示されたカード画像８を反転させるためのボタンである。上下が逆になっていても、確認画面Ｓ１で修正することができる。また、反転ボタンが操作されたカード画像８を示す情報が記憶部２に記憶される。
【００５７】
最後の順番のカード画像８を表示している状態で次ボタンＢ１が操作されたとき、制御部１は配列設定画面Ｓ２を表示パネル５１に表示させる（ステップ♯１１３）。配列設定画面Ｓ２には、サイズ設定ボタンＢ３、第１左右間隔ボタンＢ４、第２左右間隔ボタンＢ５、第１上下間隔ボタンＢ６、第２上下間隔ボタンＢ７、不要ボタンＢ８、必要ボタンＢ９、完了ボタンＢ１０が設けられる。
【００５８】
配列設定画面Ｓ２では、カード画像８を整列させた画像データ（整列画像データＤ２）のサイズを設定することができる。サイズ設定ボタンＢ３が操作されたとき、制御部１は、選択可能な画像データのサイズの選択画面(不図示)を表示パネル５１に表示させる。使用者はこの画面で出力サイズを選択する。タッチパネル５２、ハードキー５３の出力に基づき、制御部１は、選択された出力サイズを認識する。
【００５９】
第１左右間隔ボタンＢ４、第２左右間隔ボタンＢ５は、整列画像データＤ２でのカード画像８の左右方向の間隔を設定するためのボタンである。操作された左右間隔ボタンに応じて、整列画像データＤ２でのカード画像８の左右方向の幅が変わる。第１上下間隔ボタンＢ６、第２上下間隔ボタンＢ７は、カード画像８を整列させた画像データ（整列画像データＤ２）でのカード画像８の上下方向の間隔を設定するためのボタンである。操作された上下間隔ボタンに応じて、整列画像データＤ２でのカード画像８の上下方向の幅が変わる。不要ボタンＢ８、必要ボタンＢ９は整列画像データＤ２に境界線含めるか否かを設定するためのボタンである。完了ボタンＢ１０は、配列設定画面Ｓ２での設定を完了するためのボタンである。
【００６０】
このように、確認画面Ｓ１及び配列設定画面Ｓ２において、タッチパネル５２及びハードキー５３は、使用者の設定操作を受け付ける。タッチパネル５２及びハードキー５３の出力に基づき、制御部１は、設定内容を認識する。
【００６１】
完了ボタンＢ１０が操作されたとき、整列処理部７６（画像処理部７）は、設定に応じた整列画像データＤ２を生成する（ステップ♯１１４）。生成された整列画像データＤ２は、記憶部２に保存（記憶）される（図１参照）。印刷ジョブや送信ジョブに保存された整列画像データＤ２を用いることができる。そして、本フローは終了する（エンド）。
【００６２】
整列画像データＤ２は、補正画像データに基づき、傾きのずれが補正されたカード画像８を整列させた画像データである。整列処理部７６は、補正画像データから傾きのずれが補正されたカード画像８を抽出する。そして、整列処理部７６は、抽出したカード画像８を重ならないように並べる。整列画像データＤ２を生成する。
【００６３】
整列処理部７６は、確認画面Ｓ１及び配列設定画面Ｓ２での設定操作に応じた整列画像データＤ２を生成する。整列処理部７６は、選択された出力サイズの整列画像データＤ２を生成する。Ａ４サイズが選択されているとき、整列処理部７６は、Ａ４サイズの整列画像データＤ２を生成する。
【００６４】
整列処理部７６は反転ボタンが操作されたカード画像８を認識する。反転ボタンが操作されたカード画像８については、整列処理部７６は、反転（１８０度回転）させたカード画像８を整列画像データＤ２に含める。
【００６５】
第１左右間隔ボタンＢ４が操作されたとき、整列処理部７６は、カード画像８の左右方向の間隔を第１間隔とする。第２左右間隔ボタンＢ５が操作されたとき、整列処理部７６は、カード画像８の左右方向の間隔を第２間隔とする。第１間隔は第２間隔よりも狭い。第１間隔と第２間隔は予め定められていてもよい。
【００６６】
第１上下間隔ボタンＢ６が操作されたとき、整列処理部７６は、カード画像８の上下方向の間隔を第３間隔とする。第２上下間隔ボタンＢ７が操作されたとき、整列処理部７６は、カード画像８の上下方向の間隔を第４間隔とする。第３間隔は第４間隔よりも狭い。第３間隔と第４間隔は予め定められていてもよい。
【００６７】
不要ボタンＢ８が操作されたとき、整列処理部７６は、カード画像８とカード画像８の間に境界線のない整列画像データＤ２を生成する。必要ボタンＢ９が操作されたとき、整列処理部７６は、カード画像８とカード画像８の間に境界線のある整列画像データＤ２を生成する。例えば、境界線は破線である。
【００６８】
図１０、図１１は、実施形態に係るカード原稿片面読取モードでの整列画像データＤ２の一例を示す図である。補正画像データに基づき、傾きのずれが補正されたカード画像８が用いられる。そのため、全てのカード画像８の角度が一致する。
【００６９】
図１０は、第１左右間隔ボタンＢ４、第１上下間隔ボタンＢ６、必要ボタンＢ９が操作されたときに生成される整列画像データＤ２の一例を示す。図１０に示すように、必要ボタンＢ９が操作されたとき、整列処理部７６は、カード画像８とカード画像８の間に境界線を付す。第１左右間隔ボタンＢ４が操作されたとき、図１０に示すように、整列処理部７６は、カード画像８とカード画像８の左右方向の間隔を第１間隔とする。また、第１上下間隔ボタンＢ６が操作されたとき、整列処理部７６は、カード画像８とカード画像８の上下方向の間隔を第３間隔とする。
【００７０】
なお、第１左右間隔ボタンＢ４が操作されたとき、整列処理部７６は、最も左側に配するカード画像８の左端と、整列画像データＤ２の左端との間隔を第１間隔としてもよい（図１０参照）。第１上下間隔ボタンＢ６が操作されたとき、整列処理部７６は、最上位のカード画像８の上縁と、整列画像データＤ２の上端との間隔を第３間隔としてもよい。
【００７１】
図１１は、第２左右間隔ボタンＢ５、第２上下間隔ボタンＢ７、不要ボタンＢ８が操作されたときに生成される整列画像データＤ２の一例を示す。図１１に示すように、不要ボタンＢ８が操作されたとき、整列処理部７６はカード画像８とカード画像８の間に境界線を付さない。第２左右間隔ボタンＢ５が操作されたとき、整列処理部７６は、カード画像８とカード画像８の左右方向の間隔を第２間隔とする。また、第２上下間隔ボタンＢ７が操作されたとき、整列処理部７６は、カード画像８とカード画像８の上下方向の間隔を第４間隔とする。
【００７２】
なお、第２左右間隔ボタンＢ５が操作されたとき、整列処理部７６は、最も左側に配するカード画像８の左端と、整列画像データＤ２の左端との間隔を第２間隔としてもよい（図１１参照）。第２上下間隔ボタンＢ７が操作されたとき、整列処理部７６は、最上位のカード画像８の上縁と、整列画像データＤ２の上端との間隔を第４間隔としてもよい。
【００７３】
また、整列処理部７６（画像処理部７）は、低濃度のカード画像８の有無を判定してもよい。この場合、例えば、整列処理部７６は、カード画像８のうち、枠線内の画素の画素値の平均値が予め定められた閾値未満のカード画像８を、低濃度のカード画像８と判定する。また、整列処理部７６は、カード画像８のうち、枠線内の画素の画素値の平均値が予め定められた閾値以上のカード画像８は、低濃度のカード画像８ではないと判定する。低濃度と判定されたカード画像８は、原稿が適切でない場合がある。そこで、整列処理部７６は、低濃度と判定したカード画像８を整列画像データＤ２のうち、予め定められた特定領域Ｆａ内に配してもよい。図１０において、特定領域Ｆａの一例を図示している。例えば、特定領域Ｆａは、整列画像データＤ２の左下隅とできる。なお、特定領域Ｆａの位置に特に制限はない。
【００７４】
（カード原稿両面読取モード）
次に、図１２〜図１９を用いて、実施形態に係るカード原稿両面読取モードの一例を説明する。図１２、図１３は、実施形態に係るカード原稿両面読取モードでの処理の流れの一例を示すフローチャートである。図１４は、実施形態に係る第１カード画像８１と第２カード画像８２の組み合わせ手法の一例を示す図である。図１５は実施形態に係る確認画面Ｓ３の一例を示す図である。図１６は実施形態に係る配列設定画面Ｓ４の一例を示す図である。図１７〜図１９は実施形態に係る整列画像データＤ２の一例を示す図である。
【００７５】
カード原稿両面読取モードでは、カード状の原稿の一面の読み取りが行われる。その後、カード状の原稿の他面の読み取りが行われる。言い換えると、カード状の原稿の一面について、図４のステップ♯１１〜ステップ♯１１１が行われる。また、カード状の原稿の他面についても、図４のステップ♯１１〜ステップ♯１１１が行われる。
【００７６】
図１２のスタートは、カード原稿両面読取モードが選択された時点である。まず、使用者により、コンタクトガラス４１にカード状の原稿がセットされる（ステップ♯２１）。このとき、一面が下側となるように、カード状の原稿がセットされる。セット完了後、使用者は、原稿押さえ部４２を下げる。次に、制御部１は、画像読取部４に複数枚のカード状の原稿を読み取らせる（ステップ♯２２）。これにより、複数枚のカード状の原稿の一面が読み取られる。画像読取部４は、読取画像データＤ１として、第１読取画像データを生成する（ステップ♯２３）。第１読取画像データは、カード状の原稿の一面に対応するカード画像８を含む。カード画像認識部７１（画像処理部７）は、第１読取画像データに含まれるカード画像８（第１カード画像８１）を認識する（ステップ♯２４）。第１カード画像８１の認識手法は、上述したステップ♯１４と同様である。
【００７７】
続いて、円形領域設定部７２（画像処理部７）は、第１カード画像８１ごとに、第１カード画像８１の全体を含む円形領域９（第１円形領域９１）を設定する（ステップ♯２５）。第１円形領域９１の設定手法は、上述したステップ♯１５と同様である。次に、位置情報設定部７３（画像処理部７）は、それぞれの第１円形領域９１の位置情報（第１位置情報）を設定する（ステップ♯２６）。第１位置情報は、第１読取画像データ内の第１円形領域９１の位置（座標）を示す。
【００７８】
更に、ずれ角度演算部７４（画像処理部７）は、第１円形領域９１ごとに、第１ずれ角度を求める（ステップ♯２７）。第１ずれ角度は、予め定められた方向に対する第１円形領域９１内の第１カード画像８１の傾きを示す。予め定められた方向は、副走査方向又は主走査方向である。第１ずれ角度の求め方は、上述したステップ♯１７と同様である。制御部１は、画像処理装置３００に向けて、第１読取画像データ、第１円形領域９１ごとの第１位置情報と第１ずれ角度を通信部６に送信させる（ステップ♯２８）。
【００７９】
画像処理装置３００は、第１位置情報と第１ずれ角度に基づき、第１補正画像データを生成する（ステップ♯２９）。画像処理装置３００は、ずれ角度がゼロになるように、各第１円形領域９１を回転させる。補正画像データの生成手法は、上述したステップ♯１９と同様である。画像処理装置３００は、通信部６に向けて第１補正画像データを送信する。複合機２００の通信部６は、第１補正画像データを受信する（ステップ♯２１０）。通信部６は、第１補正画像データを取得する。カード画像認識部７１（画像処理部７）は、第１補正画像データに含まれる第１カード画像８１を認識する（ステップ♯２１１）。第１カード画像８１の認識手法は、ステップ♯１１１と同様である。
【００８０】
そして、他面の読み取りのための使用者による作業が行われる（ステップ♯２１２）。まず、使用者は原稿押さえ部４２を持ち上げる。そして、使用者は、コンタクトガラス４１上の各カード状の原稿を裏返す。カード状の原稿を並べ直す必要はない。同じ位置でカード状の原稿を単に裏返すだけでよい。カード状の原稿の他面が下側となるように、カード状の原稿が再セットされる。これにより、カード状の原稿の他面のセットが完了する。セット完了後、使用者は、原稿押さえ部４２を下げる。
【００８１】
次に、制御部１は、画像読取部４に複数枚のカード状の原稿を読み取らせる（ステップ♯２１３）。これにより、複数枚のカード状の原稿の他面が読み取られる。画像読取部４は、読取画像データＤ１として、第２読取画像データを生成する（ステップ♯２１４）。第２読取画像データは、カード状の原稿の他面に対応するカード画像８を含む。カード画像認識部７１（画像処理部７）は、第２読取画像データに含まれるカード画像８（第２カード画像８２）を認識する（ステップ♯２１５）。第２カード画像８２の認識手法は、上述したステップ♯１４と同様である。
【００８２】
続いて、円形領域設定部７２（画像処理部７）は、第２カード画像８２ごとに、第２カード画像８２の全体を含む円形領域９（第２円形領域９２）を設定する（ステップ♯２１６）。第２円形領域９２の設定手法は、上述したステップ♯１５と同様である。次に、位置情報設定部７３（画像処理部７）は、それぞれの第２円形領域９２の位置情報（第２位置情報）を設定する（ステップ♯２１７）。第２位置情報は、第２読取画像データ内の第２円形領域９２の位置を示す。
【００８３】
更に、ずれ角度演算部７４（画像処理部７）は、第２円形領域９２ごとに、第２ずれ角度を求める（ステップ♯２１８）。第２ずれ角度は、予め定められた方向に対する第２円形領域９２内の第２カード画像８２の傾きを示す。予め定められた方向は、副走査方向又は主走査方向である。第２ずれ角度の求め方は、上述したステップ♯１７と同様である。制御部１は、画像処理装置３００に向けて、第２読取画像データ、第２円形領域９２ごとの第２位置情報と第２ずれ角度を通信部６に送信させる（ステップ♯２１９）。
【００８４】
画像処理装置３００は、第２位置情報と第２ずれ角度に基づき、第２補正画像データを生成する（ステップ♯２２０）。画像処理装置３００は、ずれ角度がゼロになるように、各第２円形領域９２を回転させる。第２補正画像データの生成手法は、上述したステップ♯１９と同様である。画像処理装置３００は、通信部６に向けて第２補正画像データを送信する。複合機２００の通信部６は第２補正画像データを受信する（ステップ♯２２１）。通信部６は、第２補正画像データを取得する。カード画像認識部７１（画像処理部７）は、第２補正画像データに含まれる第２カード画像８２を認識する（ステップ♯２２２）。第２カード画像８２の認識手法は、ステップ♯１１１と同様である。
【００８５】
次に、組み合わせ設定部７５（画像処理部７）は、１つの第１カード画像８１に対し、何れか１つの第２カード画像８２を組み合わせる（ステップ♯２２３）。組み合わせ設定部７５は、第１円形領域９１と第２円形領域９２の位置的な重なりに基づき、第１カード画像８１と第２カード画像８２を組み合わせる。
【００８６】
組み合わせ設定部７５は、同じ原稿の第１カード画像８１と第２カード画像８２を組み合わせるようにする。ここで、カード画像８の他面を読み取るとき、コンタクトガラス４１上のカード状の原稿は裏返される。そのため、カード状の原稿の位置は大きく変わらない。図１４では、第１円形領域９１の一例を縦線網掛けで図示している。また、図１４では、第２円形領域９２の一例を横線網掛けで図示している。そして、図１４に示すように同じカード状の原稿では第１円形領域９１と第２円形領域９２は基本的に一部が重なる。
【００８７】
そこで、組み合わせ設定部７５は、重なりあう第１円形領域９１と第２円形領域９２の第１カード画像８１と第２カード画像８２を組み合わせる。カード状の原稿の表と裏の画像が自動的に組み合わされる。
【００８８】
次に、制御部１は、確認画面Ｓ３を表示パネル５１に表示させる(ステップ♯２２４)。図１５は、カード原稿両面読取モードでの確認画面Ｓ３の一例を示す。確認画面Ｓ３内には、第１表示領域Ｆ１と第２表示領域Ｆ２が設けられる。制御部１は、第１補正画像データに含まれ、かつ、ずれが補正された第１カード画像８１のうち、１枚の第１カード画像８１を第１表示領域Ｆ１内に表示させる。制御部１は、表示している第１カード画像８１と組み合わされた第２カード画像８２を第２表示領域Ｆ２内に表示させる。必要に応じ、画像処理部７は、第１カード画像８１と第２カード画像８２を縮小し、縮小画像を生成する。この場合、制御部１は、縮小画像に基づき、各領域にカード画像８を表示させる。
【００８９】
カード画像認識部７１（画像処理部７）は、第１補正画像データ内の各第１カード画像８１の順番を設定する。例えば、カード画像認識部７１は、第１補正画像データにおいて、上側の第１カード画像８１から順に番号を付す。最初に確認画面Ｓ３を表示するとき、制御部１は、１番の第１カード画像８１を表示パネル５１に表示させる。また、制御部１は、１番の第１カード画像８１と組み合わせた第２カード画像８２を表示パネル５１に表示させる。図１５の「表１」の語は、１番目の第１カード画像８１を意味する。図１５の「裏１」の語は、１番目の第１カード画像８１と組み合わされた第２カード画像８２を意味する。
【００９０】
制御部１は、次ボタンＢ１１を確認画面Ｓ３内に表示させる。次ボタンＢ１１が操作されたとき、制御部１は、次の順番の第１カード画像８１を表示パネル５１に表示させる。また、制御部１は、次の順番の第１カード画像８１と組み合わされた第２カード画像８２を表示パネル５１に表示させる。使用者は、次ボタンＢ１１の操作を繰り返す。最後の順番まで、１つずつ補正後の第１カード画像８１と第２カード画像８２を確認する。
【００９１】
また、制御部１は、第１反転ボタンＢ１２と第２反転ボタンＢ１３を確認画面Ｓ３内に表示させる。第１反転ボタンＢ１２は、第１表示領域Ｆ１内に表示された第１カード画像８１を反転させるためのボタンである。第２反転ボタンＢ１３は、第２表示領域Ｆ２内に表示された第２カード画像８２を反転させるためのボタンである。上下が逆になっていても、確認画面Ｓ３で修正することができる。反転ボタンが操作されたカード画像８を示す情報が記憶部２に記憶される。
【００９２】
また、制御部１は、入れ替えボタンＢ１４を確認画面Ｓ３内に表示させる。入れ替えボタンＢ１４は、表示している第１カード画像８１と組み合わせる第２カード画像８２を変更するためのボタンである。言い換えると、タッチパネル５２は、第１カード画像８１と組み合わせる第２カード画像８２を変更する変更操作を受け付ける。
【００９３】
例えば、カード画像認識部７１（画像処理部７）は、第２補正画像データ内の各第２カード画像８２の順番を設定する。例えば、カード画像認識部７１は、第２補正画像データにおいて、上側の第２カード画像８２から順に番号を付す。変更操作がなされたとき、組み合わせ設定部７５は、変更操作がなされた第１カード画像８１と組み合わせる第２カード画像８２を変更する。例えば、組み合わせ設定部７５は、表示中の第１カード画像８１と、現在組み合わせている第２カード画像８２の次の順番の第２カード画像８２と、を新たに組み合わせる。組み合わせが変更されたとき、制御部１は、第２表示領域Ｆ２内に新たに組み合わされた第２カード画像８２を表示パネル５１に表示させる。これにより、組み合わせが間違っていても、修正することができる。
【００９４】
また、組み合わせが誤っているおそれがあるとき、制御部１は、予め定められた注意色を用いた表示を表示パネル５１に行わせる。例えば、制御部１は、第１カード画像８１と第２カード画像８２の何れか一方、又は、両方を予め定められた注意色を用いて表示する。この場合、画像処理部７（例えば、組み合わせ設定部７５）は、第１円形領域９１と第２円形領域９２が重なっている面積を第１円形領域９１の全面積で除して得られる比率を求める。求めた比率が予め定められた基準比率以下の組み合わせにおいて、制御部１は、注意色を用いた第１カード画像８１及び／又は第２カード画像８２を表示パネル５１に表示させる。
【００９５】
基準比率は適宜定められる。例えば、基準比率は５０％である。また、注意色も、適宜定められる。例えば、注意色は、ピンク色とされる。タッチパネル５２やハードキー５３により、注意色を設定できてもよい。例えば、制御部１は、白色の画素を注意色に変換した第１カード画像８１又は第２カード画像８２を表示パネル５１に表示させる。
【００９６】
最後の順番の第１カード画像８１を表示している状態で次ボタンＢ１が操作されたとき、制御部１は配列設定画面Ｓ４を表示パネル５１に表示させる（ステップ♯２２５）。配列設定画面Ｓ４には、サイズ設定ボタンＢ１５、縦並びボタンＢ１６、横並びボタンＢ１７、カード再現ボタンＢ１８、不要ボタンＢ１９、必要ボタンＢ２０、完了ボタンＢ２１が設けられる。
【００９７】
サイズ設定ボタンＢ１５を操作し、第１カード画像８１と第２カード画像８２を整列させた画像データ（整列画像データＤ２）のサイズを設定することができる。サイズ設定ボタンＢ１５が操作されたとき、制御部１は、選択可能な画像データのサイズを選択するための画面(不図示)を表示パネル５１に表示させる。この画面で使用者は出力サイズを選択する。タッチパネル５２、ハードキー５３の出力に基づき、制御部１は、選択された出力サイズを認識する。
【００９８】
縦並びボタンＢ１６、横並びボタンＢ１７、カード再現ボタンＢ１８は、各カード画像８の並べ方を設定するためボタンである。縦並びボタンＢ１６が操作されたとき、整列処理部７６は、第１カード画像８１と第２カード画像８２の組み合わせを縦方向で並べた整列画像データＤ２を生成する。図１７は、第１カード画像８１と第２カード画像８２の組み合わせを縦方向で並べた整列画像データＤ２の一例を示す。
【００９９】
縦並びボタンＢ１６が操作されたとき、整列処理部７６は、第１カード画像８１と第２カード画像８２の組み合わせを縦方向で並べた整列画像データＤ２を生成する。図１７は、第１カード画像８１と第２カード画像８２の組み合わせを縦方向で並べた整列画像データＤ２の一例を示す。
【０１００】
横並びボタンＢ１７が操作されたとき、整列処理部７６は、第１カード画像８１と第２カード画像８２の組み合わせを横方向で並べた整列画像データＤ２を生成する。図１８は、第１カード画像８１と第２カード画像８２の組み合わせを横方向で並べた整列画像データＤ２の一例を示す。
【０１０１】
カード再現ボタンＢ１８が操作されたとき、整列処理部７６は、組み合わせた第１カード画像８１と第２カード画像８２が隣りあうようにカード画像８を配した整列画像データＤ２を生成しない。カード画像８を再現できるように、整列画像データＤ２を生成する。カード再現ボタンＢ１８が操作されたとき、整列処理部７６は、表面用整列画像データＤ２ａと、裏面用整列画像データＤ２ｂｂを生成する。
【０１０２】
整列処理部７６は、第１カード画像８１を表面用整列画像データＤ２ａに配する。整列処理部７６は、第２カード画像８２を裏面用整列画像データＤ２ｂに配する。その結果、表面用整列画像データＤ２ａには、カード状の原稿の一面の画像のみが配される。また、裏面用整列画像データＤ２ｂには、カード状の原稿の他面の画像のみが配される。
【０１０３】
さらに、表面用整列画像データＤ２ａと裏面用整列画像データＤ２ｂを用いて用紙の両面を印刷したとき、第１カード画像８１の印刷位置と同じ位置に第１カード画像８１と組み合わされた第２カード画像８２が印刷されるように、整列処理部７６は第１カード画像８１と第２カード画像８２を配する。組み合わされた第１カード画像８１と第２カード画像８２は、同じ原稿を読み取って得られる。第１カード画像８１と第２カード画像８２のサイズは、等しい、又は、ほぼ等しい。例えば、整列処理部７６は、少なくとも第１カード画像８１の１つの隅の位置と、組み合わされた第２カード画像８２の１つ隅の位置を一致させる。例えば、整列処理部７６は、表面用整列画像データＤ２ａ内の第１カード画像８１の左上隅の位置（座標）と、裏面用整列画像データＤ２ｂ内の第２カード画像８２の左上隅の位置（座標）を一致させる。このように、整列処理部７６は、第１カード画像８１を切り取った用紙の裏側に、組み合わされている第２カード画像８２が印刷されるように、整列画像データＤ２を生成する。これにより、用紙からカード画像８を切り取ることで、カード状の原稿を再現することができる。
【０１０４】
図１９は、表面用整列画像データＤ２ａと裏面用整列画像データＤ２ｂの一例を示す。図１９では、「表１」の第１カード画像８１の縦方向の位置と「裏１」の第２カード画像８２の縦方向の位置は一致する。また、「表２」の第１カード画像８１の縦方向の位置と「裏２」の第２カード画像８２の縦方向の位置は一致する。また、「表３」と「裏３」の組み合わせと、「表４」と「裏４」の組み合わせも同様である。
【０１０５】
両面印刷において表と裏で同じ位置に印刷する場合、画像データの中心線（縦方向の中心線）に対し、線対称となるよう各画像を配する必要がある。そのため、図１９に示すように、ページ左端から各第１カード画像８１の左端までの距離と、ページ右端から各第２カード画像８２の左端までの距離が、同じＬ１となる。これにより、用紙の一面に印刷された第１カード画像８１のちょうど裏側に各第２カード画像８２が印刷される。
【０１０６】
不要ボタンＢ１９が操作されたとき、整列処理部７６は、各カード画像８間に境界線のない整列画像データＤ２を生成する。必要ボタンＢ９が操作されたとき、整列処理部７６は、各カード画像８間に境界線のある整列画像データＤ２を生成する。
【０１０７】
このように、確認画面Ｓ３及び配列設定画面Ｓ４において、タッチパネル５２及びハードキー５３は、使用者の設定操作を受け付ける。タッチパネル５２及びハードキー５３の出力に基づき、制御部１は、設定内容を認識する。完了ボタンＢ２１が操作されたとき、整列処理部７６（画像処理部７）は、設定に応じた整列画像データＤ２を生成する（ステップ♯２２６）。生成された整列画像データＤ２は、記憶部２に保存（記憶）される（図１参照）。印刷ジョブや送信ジョブに保存された整列画像データＤ２を用いることができる。そして、本フローは終了する（エンド）。
【０１０８】
整列処理部７６は、確認画面Ｓ３及び配列設定画面Ｓ４でなされた設定操作に応じた整列画像データＤ２を生成する。整列処理部７６は、選択された出力サイズの整列画像データＤ２を生成する。整列処理部７６は、第１反転ボタンＢ１２が操作された第１カード画像８１を認識する。第１反転ボタンＢ１２が操作された第１カード画像８１については、整列処理部７６は、反転（１８０度回転）させた第１カード画像８１を整列画像データＤ２に含める。整列処理部７６は、第２反転ボタンＢ１３が操作された第２カード画像８２を認識する。第２反転ボタンＢ１３が操作された第２カード画像８２については、整列処理部７６は、反転させた第２カード画像８２を整列画像データＤ２に含める。
【０１０９】
縦並びボタンＢ１６が操作されたとき、整列処理部７６は、第１カード画像８１と第２カード画像８２の組み合わせを縦方向に並べた整列画像データＤ２を生成する。横並びボタンＢ１７が操作されたとき、整列処理部７６は、第１カード画像８１と第２カード画像８２の組み合わせを横方向に並べた整列画像データＤ２を生成する。カード再現ボタンＢ１８が操作されたとき、カード状の原稿を再現できる整列画像データＤ２を生成する。
【０１１０】
このようにして、実施形態に係る画像読取装置（複合機２００）は、操作部（タッチパネル５２、ハードキー５３）、画像読取部４、カード画像認識部７１、円形領域設定部７２、位置情報設定部７３、ずれ角度演算部７４、補正データ取得部（通信部６）、整列処理部７６を含む。操作部は使用者の操作を受け付ける。画像読取部４は、コンタクトガラス４１にセットされた複数枚の原稿を読み取って読取画像データＤ１を生成する。カード画像認識部７１は、読取画像データＤ１に含まれる画像であって、原稿に対応する画像であるカード画像８を認識する。円形領域設定部７２は、カード画像８ごとに、カード画像８の全体を含む円形領域９を設定する。位置情報設定部７３は、それぞれの円形領域９の位置を示す位置情報を設定する。ずれ角度演算部７４は、カード画像８ごとに、予め定められた方向に対するカード画像８のずれ角度を求める。補正データ取得部は、位置情報とずれ角度に基づき、円形領域９を回転させて傾きのずれを補正したカード画像８を含む補正画像データを取得する。整列処理部７６は、補正画像データに基づき、傾きのずれが補正されたカード画像８を列状に配した整列画像データＤ２を生成する。
【０１１１】
これにより、各カード画像８の傾きのずれがなく、各カード画像８が整列された画像データ（整列画像データＤ２）を得ることができる。特に使用者の操作は不要であり、容易、自動的に整列画像データＤ２を得ることができる。また、使用者は、位置、角度があうように複数枚のカード状の原稿を慎重にセットしなくてもよい。
【０１１２】
また、画像読取装置は、組み合わせ設定部７５を含む。画像読取部４は、コンタクトガラス４１にセットされた複数枚の原稿を読み取って第１読取画像データを生成する。また、画像読取部４は、第１読取画像データの生成後、複数枚の原稿を読み取って第２読取画像データを生成する。カード画像認識部７１は、第１読取画像データに含まれるカード画像８である第１カード画像８１を認識する。また、カード画像認識部７１は、第２読取画像データに含まれるカード画像８である第２カード画像８２を認識する。円形領域設定部７２は、第１カード画像８１ごとに、円形領域９として第１円形領域９１を設定する。また、円形領域設定部７２は、第２カード画像８２ごとに、円形領域９として第２円形領域９２を設定する。位置情報設定部７３は、第１円形領域９１ごとに、位置情報として第１位置情報を設定する。また、位置情報設定部７３は、第２円形領域９２ごとに、位置情報として第２位置情報を設定する。角度演算部は、第１カード画像８１ごとに、ずれ角度として第１ずれ角度を求める。また、第２カード画像８２ごとに、ずれ角度として第２ずれ角度を求める。補正データ取得部は、第１位置情報と第１ずれ角度に基づき第１円形領域９１を回転させて第１カード画像８１のずれを補正した第１補正画像データを取得する。補正データ取得部は、第２位置情報と第２ずれ角度に基づき第２円形領域９２を回転させて第２カード画像８２のずれを補正した第２補正画像データを取得する。組み合わせ設定部７５は、第１円形領域９１と第２円形領域９２の位置的な重なりに基づき、１つの第１カード画像８１に対し、何れか１つの第２カード画像８２を組み合わせる。整列処理部７６は、組み合わせた第１カード画像８１と第２カード画像８２が隣りあうように、傾きのずれが補正されたカード画像８を配した整列画像データＤ２を生成する。
【０１１３】
これにより、同じカード状の原稿の一面と他面のカード画像８が隣り合う整列画像データＤ２を容易に得ることができる。隣り合うので、複数のカード状の原稿の画像の中から、ある原稿の表の画像に対応する裏の画像を探さなくてすむ。両面刷りのカード状の原稿に対応しつつ、傾きのずれが補正された各カード画像８を整列することができる。
【０１１４】
また、画像読取装置は、確認画面Ｓ３を表示する表示部（表示パネル５１）を含む。表示部は、組み合わされた第１カード画像８１と第２カード画像８２を確認画面Ｓ３内に表示する。これにより、第１カード画像８１と第２カード画像８２の組み合わせが正しいか否かを確認することができる。言い換えると、同じカード状の原稿の一面の画像と他面の画像が組み合わされているか否かを確認することができる。
【０１１５】
また、組み合わせ設定部７５は、重なりあう第１円形領域９１と第２円形領域９２の第１カード画像８１と第２カード画像８２を組み合わせる。第１円形領域９１と第２円形領域９２が重なっている面積を第１円形領域９１の全面積で除して得られる比率が予め定められた基準比率以下であるとき、表示部は第１カード画像８１と第２カード画像８２の何れか一方、又は、両方を予め定められた注意色を用いて表示する。これにより、１回目の読み取り後、原稿を裏返すだけで、同じカード状の原稿の一面の画像と他面の画像を関連付けることができる。また、円形領域９の重なりが少ない場合、組み合わせが正しくない可能性がある。注意色で表示することにより、組み合わせが正しくない可能性が高いことを示すことができる。使用者に注意を喚起することができる。
【０１１６】
また、操作部が第１カード画像８１と組み合わせる第２カード画像８２を変更する変更操作（入れ替えボタンＢ１４の操作）を受け付けたとき、組み合わせ設定部７５は、変更操作がなされた第１カード画像８１と組み合わせる第２カード画像８２を変更する。これにより、第１カード画像８１に組み合わせる第２カード画像８２を変更することができる。同じカード状の原稿の表と裏の画像を組み合わせることができる。言い換えると、第１カード画像８１と第２カード画像８２を正しく組み合わせることができる。
【０１１７】
操作部がカードを再現するためのカード再現操作（カード再現ボタンＢ１８の操作）を受け付けたとき、整列処理部７６は、組み合わせた第１カード画像８１と第２カード画像８２が隣りあうようにカード画像８を配した整列画像データＤ２を生成しない。整列処理部７６は、表面用整列画像データＤ２ａと裏面用整列画像データＤ２ｂを生成する。整列処理部７６は、表面用整列画像データＤ２ａに第１カード画像８１を配し、裏面用整列画像データＤ２ｂに第２カード画像８２を配する。整列処理部７６は、表面用整列画像データＤ２ａと裏面用整列画像データＤ２ｂを用いて用紙の両面を印刷したとき、第１カード画像８１の印刷位置と同じ位置に第１カード画像８１と組み合わされた第２カード画像８２が印刷されるように第１カード画像８１と第２カード画像８２を配する。これにより、第２カード画像８２は、対応する第１カード画像８１の裏面に印刷される。しかも、第１カード画像８１と一致する位置に第２カード画像８２が印刷される。印刷部３分を切り出すことで、カード状の原稿を再現することができる。
【０１１８】
また、操作部は整列画像データＤ２でのカード画像８の並べ方の設定を受け付ける。整列処理部７６は、設定された並べ方で、傾きのずれが補正されたカード画像８を整列した整列画像データＤ２を生成する。これにより、使用者の所望の並べ方で各カード画像８を並べることができる。使用者は、希望する態様の整列画像データＤ２を得られる。
【０１１９】
また、整列処理部７６は、低濃度のカード画像８の有無を判定し、低濃度と判定したカード画像８を整列画像データＤ２のうち、予め定められた特定領域Ｆａ内に配する。これにより、カード状の原稿（カード画像８）と扱うべきか不明な画像を一定の場所に配することができる。
【０１２０】
また、整列処理部７６は、カード画像８とカード画像８の間に境界線を付した整列画像データＤ２を生成する。これにより、境界線を整列画像データＤ２に含めることができる。カード画像８ごとに切り取りたい使用者は、境界線に沿って、カード画像８を切り出せばよい。
【０１２１】
また、画像読取システム１００は、上述の記載の画像読取装置と、画像読取装置と通信する画像処理装置３００を含む。画像読取装置は、読取画像データＤ１、それぞれの円形領域９の位置情報、円形領域９ごとのずれ角度を画像処理装置３００に送信する。画像処理装置３００は、位置情報とずれ角度に基づき、円形領域９を回転させてずれを補正して補正画像データを生成し、補正画像データを補正データ取得部に送信する。
【０１２２】
これにより、画像読取装置の画像処理を行うハードウェア、ソフトウェアに制限がある場合がある。言い換えると、画像読取装置で画像データを回転できる角度が限られている場合がある。このような場合、画像処理装置３００が回転処理を代行する。そして、画像読取装置は、カード画像８の傾きのずれを適切に補正した補正画像データを得る。従って、画像読取装置に高度な回転処理機能を持たせなくてもよい。画像読取装置のハードウェアを簡素で低コストなものとすることができる。
【０１２３】
以上、本発明の実施形態について説明したが、本発明の範囲はこれに限定されるものではなく、発明の主旨を逸脱しない範囲で種々の変更を加えて実施することができる。
【産業上の利用可能性】
【０１２４】
本発明は、画像読取装置（画像形成装置）に利用可能である。
【符号の説明】
【０１２５】
１００  画像読取システム            ２００  複合機（画像読取装置）
４      画像読取部                  ４１    コンタクトガラス
５１    表示パネル（表示部）        ５２    タッチパネル（操作部）
５３    ハードキー（操作部）        ６      通信部（補正データ取得部）
７１    カード画像認識部            ７２    円形領域設定部
７３    位置情報設定部              ７４    ずれ角度演算部
７５    組み合わせ設定部            ７６    整列処理部
８      カード画像                  ８１    第１カード画像
８２    第２カード画像              ９      円形領域
９１    第１円形領域                ９２    第１円形領域
３００  画像処理装置                Ｂ１４  入れ替えボタン
Ｂ１８  カード再現ボタン            Ｄ２    整列画像データ
Ｄ２ａ  表面用整列画像データ        Ｄ２ｂ  裏面用整列画像データ
Ｆａ    特定領域                    Ｓ３    確認画面
【図１】
2018196042.tif 000003
【図２】
2018196042.tif 000004
【図３】
2018196042.tif 000005
【図４】
2018196042.tif 000006
【図５】
2018196042.tif 000007
【図６】
2018196042.tif 000008
【図７】
2018196042.tif 000009
【図８】
2018196042.tif 000010
【図９】
2018196042.tif 000011
【図１０】
2018196042.tif 000012
【図１１】
2018196042.tif 000013
【図１２】
2018196042.tif 000014
【図１３】
2018196042.tif 000015
【図１４】
2018196042.tif 000016
【図１５】
2018196042.tif 000017
【図１６】
2018196042.tif 000018
【図１７】
2018196042.tif 000019
【図１８】
2018196042.tif 000020
【図１９】
2018196042.tif 000021